(57)【要約】【課題】携帯端末装置の小型化および軽量化を図りつつ、当該携帯端末装置が、音声信号送信用の未使用周波数を自動探査することができるようにする。【解決手段】携帯電話機１００が、ＦＭラジオ周波数帯の複数の周波数のうち指定された周波数にて音声信号を送信するＦＭトランスミッタ回路１８２と、ＤＴＶ（地上波デジタルテレビジョン放送）の放送波を受信および復調してＤＴＶ画像の画像信号を出力するＤＴＶチューナ回路１４１とを具備する。ＤＴＶチューナ回路１４１は、ＤＴＶのオートチューニングに加えて、ＦＭトランスミッタ回路１８２が送信可能な周波数における電波状況を測定する。これにより、携帯電話機１００は、ＤＴＶチューナ回路１４１を用いて音声信号送信用の未使用周波数を自動探査できる。従って、携帯電話機１００は、未使用周波数探査用の回路を別途具備する必要が無いので、携帯電話機１００の小型化および軽量化を図ることができる。【選択図】図１
2013021627.tif 000002
【特許請求の範囲】
【請求項１】
ＦＭラジオ周波数帯の複数の周波数のいずれかを指定されると、指定された周波数の無線信号にてアンテナを介して音声信号を送信するＦＭトランスミッタ回路と、
アンテナを介して地上波デジタルテレビジョン放送波を受信し、地上波デジタルテレビジョン放送周波数帯における電波状況を測定して、復調可能周波数を検出するＤＴＶチューナ回路と、
前記ＦＭトランスミッタ回路が音声信号を送信する無線周波数を決定する周波数決定回路と、
を具備し、
前記ＤＴＶチューナ回路は、前記ＦＭトランスミッタ回路が送信可能な無線周波数における電波状況を測定し、
前記周波数決定回路は、前記ＤＴＶチューナ回路が測定した電波状況に基づいて、前記ＦＭトランスミッタ回路が音声信号を送信する無線周波数を決定する、
ことを特徴とする携帯端末装置。
【請求項２】
前記ＦＭトランスミッタ回路による無線信号を送信するトランスミッタ用アンテナと、
前記地上波デジタルテレビジョン放送波を受信するＤＴＶ用アンテナと、
前記トランスミッタ用アンテナと前記ＤＴＶ用アンテナとの前記ＤＴＶチューナ回路への接続を切り替える高周波スイッチと、
を具備することを特徴とする請求項１に記載の携帯端末装置。
【請求項３】
前記ＦＭトランスミッタ回路が送信可能な周波数の無線信号を地上波デジタルテレビジョン放送周波数帯の無線信号に変換して前記ＤＴＶチューナ回路に出力する周波数逓倍回路を具備することを特徴とする請求項１または請求項２に記載の携帯端末装置。
【請求項４】
ＦＭラジオ周波数帯の複数の周波数のいずれかを指定されると、指定された周波数の無線信号にてアンテナを介して音声信号を送信するＦＭトランスミッタ回路と、アンテナを介して地上波デジタルテレビジョン放送波を受信し、地上波デジタルテレビジョン放送周波数帯における電波状況を測定して、復調可能周波数を検出するＤＴＶチューナ回路と、を具備する携帯端末装置の送信周波数決定方法であって、
前記ＤＴＶチューナ回路が、前記ＦＭトランスミッタ回路が送信可能な無線周波数における電波状況を測定する電波状況測定ステップと、
前記ＤＴＶチューナ回路が測定した電波状況に基づいて、前記ＦＭトランスミッタ回路が音声信号を送信する無線周波数を決定する送信周波数決定ステップと、
を具備することを特徴とする送信周波数決定方法。
【発明の詳細な説明】
【技術分野】
【０００１】
本発明は、携帯端末装置および送信周波数決定方法に関する。
【背景技術】
【０００２】
携帯電話機などの携帯端末装置から得られる各種音声を、その利用者が、携帯端末装置を手に持って自身の耳に直接当てることなく聴くための方法として、ワイヤー方式、即ち有線送信方式がある。例えば、携帯端末装置の音声出力端子にヘッドホンなどを接続した状態で音声信号の送信が行われる。
【０００３】
しかし、有線送信方式は、音声信号を伝送するためのワイヤーを必要とし不便である。そこで、電波や赤外線などを用いたワイヤレス方式、即ち無線送信装置ないし回路を用いた無線送信方式が各種考案され、広く実用に供されている。ワイヤレス方式のうち、ラジオ放送用超短波帯（ＦＭ（Frequency Module）ラジオ周波数帯）を用いるものは、その電波の性質により、多少の障害物があっても確実に音声信号を伝送することができることから、特に多用されている。例えば、携帯端末装置が、簡単な構成で高い伝送品質を得られる周波数変調回路を含む無線送信回路（ＦＭトランスミッタ）を具備し、ＦＭラジオ放送の周波数帯にて音声信号を送信する。そして、ヘッドホンが、受信機を具備して当該音声信号を受信し、受信した音声信号を復調して音声を出力する。
【０００４】
また本用途のワイヤレス方式において必要な電波の伝搬距離はおよそ５（ｍ）程度までであることから、使用する電波のエネルギーは、無線局の免許を要しない微弱な電波の範囲で十分であり、当該方式を手軽に利用可能である。
ＦＭラジオ放送用周波数帯を用いたワイヤレス方式による音声伝送では、当該周波数帯のうち使用されていない周波数を手動もしくは自動で探査し、その周波数で送信するといったことがなされる。
【０００５】
なお、ワイヤレス方式の音声伝送に関して、特許文献１に記載の車載用の変調システムは、車両に搭載したＦＭトランスミッタの空き周波数帯認識手段により、周辺で使用している周波数以外の空き周波数帯を認識する。空き周波数帯の認識は、空き周波数帯認識手段の検波に基づいて認識したり、制御本体部の移動支援手段で車両の現在位置と地図情報の施設情報とに基づいて認識したりする。そして、認識した空き周波数帯で、本体制御部から出力したコンテンツデータをＦＭトランスミッタで変調して送信手段から送信させる。
これにより、移動により周辺で使用している周波数が変動する車両に搭載しても、適切にコンテンツデータを混信することなく送受信でき、車両に搭載したスピーカで良好な音響効果で再生出力できるとされている。
【０００６】
また、特許文献２に記載のＦＭ音声出力周波数自動調整装置では、ＦＭモジュレーター、ＦＭトランスミッタとして機能するＦＭ信号送受信機能部の送信部からは、各種機器の音声信号をＦＭ音声信号としてＦＭラジオに送信して、オーディオ装置のスピーカから出力する。ＦＭ信号送受信機能部にはＦＭ放送を受信する受信部を備え、混信検出部で混信を検出し、送信部から送信していないときに、放送を受信しない適正送信周波数を検出する。検出した周波数を利用者に案内を行い、利用者が確認したときには送信周波数をその周波数に設定変更する。その後利用者は手動でＦＭラジオのＦＭ音声受信用簡易周波数の設定変更を行う。
これにより、ＦＭラジオを備えたヘッドユニット等の回路構成を変更することなく、安価で手軽な手法により、各種機器の音声信号のＦＭ信号による送受信を、混信のない周波数に自動的に変更することができるとされている。
【先行技術文献】
【特許文献】
【０００７】
【特許文献１】特開２００６−２０３７８６号公報
【特許文献２】特開２００７−１７４４４５号公報
【発明の概要】
【発明が解決しようとする課題】
【０００８】
ワイヤレス方式による音声信号伝送を携帯端末装置に適用し、音声信号を無線送信するための未使用周波数を自動探査する場合、以下の様な課題が存在する。
即ち、未使用周波数探査のためにかなりの規模の電子回路が携帯端末装置に内蔵され、貴重なスペースを占めてしまう。これら未使用周波数探査のための回路が携帯端末装置のスペースを占めることで、携帯端末装置の小型化および軽量化が阻害されてしまう。
【０００９】
この点に関して、特許文献１に記載の変調システムは、空き周波数帯認識手段を備える必要があり、この空き周波数帯認識手段にスペースを要する。同様に、特許文献２に記載のＦＭ音声出力周波数自動調整装置も、受信部や混信検出部を備える必要があり、これら受信部や混信検出部にスペースを要する。すなわち、特許文献１や、特許文献２には、空き周波数帯認識手段を有することによるスペース増大を抑える技術は示されていない。
この点において、特許文献１に記載の技術や、特許文献２に記載の技術からは、携帯端末装置の小型化および軽量化を図りつつ、当該携帯端末装置が、音声信号送信用の未使用周波数を自動探査可能とすることはできない。
【００１０】
本発明は、上述の課題を解決することのできる携帯端末装置および送信周波数決定方法を提供することを目的としている。
【課題を解決するための手段】
【００１１】
この発明は上述した課題を解決するためになされたもので、本発明の一態様による携帯端末装置は、ＦＭラジオ周波数帯の複数の周波数のいずれかを指定されると、指定された周波数の無線信号にてアンテナを介して音声信号を送信するＦＭトランスミッタ回路と、アンテナを介して地上波デジタルテレビジョン放送波を受信し、地上波デジタルテレビジョン放送周波数帯における電波状況を測定して、復調可能周波数を検出するＤＴＶチューナ回路と、前記ＦＭトランスミッタ回路が音声信号を送信する無線周波数を決定する周波数決定回路と、を具備し、前記ＤＴＶチューナ回路は、前記ＦＭトランスミッタ回路が送信可能な無線周波数における電波状況を測定し、前記周波数決定回路は、前記ＤＴＶチューナ回路が測定した電波状況に基づいて、前記ＦＭトランスミッタ回路が音声信号を送信する無線周波数を決定する、ことを特徴とする。
【００１２】
また、本発明の一態様による送信周波数決定方法は、ＦＭラジオ周波数帯の複数の周波数のいずれかを指定されると、指定された周波数の無線信号にてアンテナを介して音声信号を送信するＦＭトランスミッタ回路と、アンテナを介して地上波デジタルテレビジョン放送波を受信し、地上波デジタルテレビジョン放送周波数帯における電波状況を測定して、復調可能周波数を検出するＤＴＶチューナ回路と、を具備する携帯端末装置の送信周波数決定方法であって、前記ＤＴＶチューナ回路が、前記ＦＭトランスミッタ回路が送信可能な無線周波数における電波状況を測定する電波状況測定ステップと、前記ＤＴＶチューナ回路が測定した電波状況に基づいて、前記ＦＭトランスミッタ回路が音声信号を送信する無線周波数を決定する送信周波数決定ステップと、を具備することを特徴とする。
【発明の効果】
【００１３】
本発明によれば、携帯端末装置の小型化および軽量化を図りつつ、当該携帯端末装置が、音声信号送信用の未使用周波数を自動探査することができる。
【図面の簡単な説明】
【００１４】
【図１】本発明の一実施形態における携帯電話機の概略構成を示す構成図である。
【図２】同実施形態における携帯電話機１００を含む音声送信システムの概略構成を示す構成図である。
【図３】同実施形態において、携帯電話機１００がＦＭトランスミッタによる送信周波数を設定する処理手順を示すフローチャートである。
【図４】同実施形態において、ＤＴＶチューナ回路１４１が測定する電界強度の例を示す説明図である。
【図５】同実施形態の一変形例における携帯電話機の概略構成を示す構成図である。
【発明を実施するための形態】
【００１５】
以下、図面を参照して、本発明の実施の形態について説明する。
図１は、本発明の一実施形態における携帯電話機の概略構成を示す構成図である。同図において、携帯電話機１００は、表示装置１０１と、入力装置１０２と、スピーカ１１１と、マイク１１２と、トランスミッタ用アンテナ１２１と、地上波デジタルテレビジョン放送（以下、「ＤＴＶ」（Digital Television）と称する）用アンテナ１２２と、携帯通信用アンテナ１２３と、近距離通信用アンテナ１２４と、高周波スイッチ１３１と、ＤＴＶチューナ回路１４１と、携帯通信回路１５１と、近距離通信回路１６１と、音声データ記憶装置１７１と、音声信号生成回路１８１と、ＦＭトランスミッタ回路１８２と、制御回路（周波数決定回路）１９１とを具備する。
【００１６】
携帯電話機１００は、本発明における携帯端末装置の一例であり、ユーザ操作に応じて、音声通話機能や、ＤＴＶ表示機能（ＤＴＶを受信し、復調して表示する機能）や、ＦＭトランスミッタ送信機能（ＦＭトランスミッタによる音声信号送信機能）などの各種機能を実行する。
ただし、本発明の適用範囲は携帯電話機に限らない。ＤＴＶ表示機能とＦＭトランスミッタ送信機能とを有する様々な携帯端末装置に本発明を適用可能である。例えば、ＤＴＶ表示機能とＦＭトランスミッタ送信機能とを有する個人情報端末装置（Personal Digital Assistant；ＰＤＡ）に本発明を適用してもよい。
【００１７】
表示装置１０１は、例えば液晶パネル等の表示画面を有し、制御回路１９１の制御に従って、動画像や静止画像や文字列（テキスト）など各種情報を表示する。特に、表示装置１０１は、ＤＴＶチューナ回路１４１がＤＴＶの放送波を受信して出力する画像信号に従ってＤＴＶ画像を表示する。
入力装置１０２は、０〜９の数字キーや、上下左右の方向キーや、決定キーなどのキーボタンを有してユーザの操作入力を受け付け、受け付けた操作入力に応じた信号を制御回路１９１に出力する。
【００１８】
スピーカ１１１は、制御回路１９１から電気信号にて出力される音声信号に従って音声を出力する。例えば、スピーカ１１１は、携帯電話機１００が音声通話機能を実行しているときに、通話相手の音声を出力する。
マイク１１２は、周囲音を採取し、アナログの電気信号に変換して制御回路１９１に出力する。例えば、マイク１１２は、携帯電話機１００が音声通話機能を実行しているときに、ユーザの発話音声を採取して電気信号にて制御回路１９１に出力する。
【００１９】
トランスミッタ用アンテナ１２１は、ＦＭトランスミッタ回路１８２による無線信号を送信する。すなわち、トランスミッタ用アンテナ１２１は、高周波スイッチ１３１を介してＦＭトランスミッタ回路１８２から、ＦＭラジオ周波数の交流の電流信号にて、音声信号を入力されると、当該音声信号を無線信号にて送信する。
ＤＴＶ用アンテナ１２２は、前記地上波デジタルテレビジョン放送波を受信し、受信した放送波を交流の電気信号にて、高周波スイッチ１３１を介してＤＴＶチューナ回路１４１に出力する。
【００２０】
携帯通信用アンテナ１２３は、携帯電話通信における無線通信信号を送受信する。すなわち、携帯通信用アンテナ１２３は、携帯電話通信方式による送信信号を、電気信号にて携帯通信回路１５１から出力されると、当該信号を無線送信する。また、携帯通信用アンテナ１２３は、携帯電話通信方式による無線信号を受信すると、当該信号を電気信号にて携帯通信回路１５１に出力する。
なお、携帯通信用アンテナ１２３が送受信する信号の通信方式は、携帯通信回路１５１が変調・復調可能なものであればよく、様々な方式を用いることができる。例えば、携帯通信用アンテナ１２３が送受信する信号の通信方式は、Ｗ−ＣＤＭＡ（Wideband Code Division Multiple Access）方式であってもよいし、ＣＤＭＡ２０００方式であってもよい。
【００２１】
近距離通信用アンテナ１２４は、近距離通信における無線通信信号を送受信する。すなわち、近距離通信用アンテナ１２４は、近距離通信における送信信号を、電気信号にて近距離通信回路１６１から出力されると、当該信号を無線送信する。また、近距離通信用アンテナ１２４は、近距離通信における無線信号を受信すると、当該信号を電気信号にて近距離通信回路１６１に出力する。
なお、近距離通信用アンテナ１２４が送受信する信号の通信方式は、近距離通信回路１６１が変調・復調可能なものであればよく、様々な方式を用いることができる。例えば、近距離通信用アンテナ１２４が送受信する信号の通信方式は、ＮＦＣ（Near Field Communication）にて規定される方式であってもよいし、Ｂｌｕｅｔｏｏｔｈ（登録商標）にて規定される方式であってもよい。
【００２２】
高周波スイッチ１３１は、ＦＭラジオ周波数帯やＤＴＶの周波数帯などの高周波の電気信号を切り替えるスイッチである。高周波スイッチ１３１は、トランスミッタ用アンテナ１２１と、ＤＴＶ用アンテナ１２２と、ＦＭトランスミッタ回路１８２と、ＤＴＶチューナ回路１４１との接続関係を切り替える。
特に、携帯電話機１００がＤＴＶ表示機能を実行する場合、高周波スイッチ１３１は、ＤＴＶ用アンテナ１２２とＤＴＶチューナ回路１４１とを接続する。また、携帯電話機１００がＦＭトランスミッタ送信機能を実行する場合、高周波スイッチ１３１は、まず、トランスミッタ用アンテナ１２１とＤＴＶチューナ回路１４１とを接続し、次に、トランスミッタ用アンテナ１２１とＦＭトランスミッタ回路１８２とを接続する。詳細については後述する。
【００２３】
ＤＴＶチューナ回路１４１は、ＤＴＶの放送波を受信して復調し、ＤＴＶ画像の画像信号を、制御回路１９１を介して表示装置１０１に出力する。また、ＤＴＶチューナ回路１４１は、ＤＴＶのオートチューニングを行う。すなわち、ＤＴＶチューナ回路１４１は、アンテナを介して地上波デジタルテレビジョン放送波を受信し、地上波デジタルテレビジョン放送周波数帯における電波状況（例えば電界強度あるいはＳ／Ｎ比（Signal To Nose Ratio）を測定して、復調可能周波数（表示可能チャンネル）を検出する。
【００２４】
さらに、ＤＴＶチューナ回路１４１は、ＦＭトランスミッタ回路１８２が送信可能な無線周波数の電波状況（例えば電界強度）を測定し、測定結果を制御回路１９１に出力する。
ここで、ＤＴＶチューナ回路１４１が具備する、ＤＴＶオートチューニング用の電波状況測定回路は、ＦＭラジオ周波数帯に拡張されており、ＤＴＶチューナ回路１４１は、当該電波状況測定回路を用いて、ＦＭトランスミッタ回路１８２が送信可能な無線周波数の電波状況を測定する。ＦＭラジオ周波数帯における電波状況を測定するために、ＤＴＶチューナ回路１４１は、ＤＴＶ周波数帯（４７０メガヘルツ（ＭＨｚ）〜７７０メガヘルツ）に加えてＦＭラジオ周波数帯（７６メガヘルツ〜９０メガヘルツ）に同調可能な同調回路を有する。また、ＤＴＶチューナ回路１４１は、ＲＦ（Radio Frequency）入力部において、ＤＴＶチューナが一般的に有する、ＤＴＶ周波数帯のバンドパスフィルタ（Band-Pass Filter；ＢＦＰ）に代えて、ローパスフィルタ（Low-Pass Filter；ＬＰＦ）を有する。あるいは、ＤＴＶチューナ回路１４１が、ＲＦ入力部にフィルタを有しない（ＤＴＶチューナ回路１４１のバンドパスフィルタを削除する）ようにして、ＦＭラジオ周波数帯に対応可能としてもよい。
【００２５】
携帯通信回路１５１は、携帯電話通信を行う。具体的には、携帯通信回路１５１は、携帯電話基地局装置から送信されるダウンリンク（Downlink）の電波を、携帯通信用アンテナ１２３を介して受信し、ベースバンドの受信信号への変換や復調等の処理を行ってデータを抽出し、抽出したデータを制御回路１９１に出力する。また、携帯通信回路１５１は、制御回路１９１から出力されるデータに対して変調や送信周波数の信号への変換等の処理を行って、携帯電話基地局装置へのアップリンク（Uplink）の電波として、携帯通信用アンテナ１２３を介して送信する。
【００２６】
近距離通信回路１６１は、近距離通信を行う。具体的には、近距離通信回路１６１は、近距離通信用アンテナ１２４が受信する近距離通信の信号に対して復調等の処理を行ってデータを抽出し、抽出したデータを制御回路１９１に出力する。また、近距離通信回路１６１は、制御回路１９１から出力されるデータに対して変調等の処理を行って、携帯通信用アンテナ１２３を介して送信する。
【００２７】
音声データ記憶装置１７１は、例えば半導体メモリ等の記憶媒体を有し、音声データを記憶する。例えば、音声データ記憶装置１７１は、携帯通信回路１５１が取得（ダウンロード）した、音楽の音声データを記憶する。
音声信号生成回路１８１は、音声データ記憶装置１７１から音声データを読み出して音声信号を生成し、ＦＭトランスミッタ回路１８２に出力する。なお、音声信号生成回路１８１が音声データを取得する方法は、音声データ記憶装置１７１から読み出す方法に限らない。例えば、音声信号生成回路１８１が、ＤＴＶチューナ回路１４１の取得（受信）するテレビ音声の音声データ、あるいは携帯通信回路１５１の取得（受信）する通話音声の音声データを、制御回路１９１を介して取得し、当該音声データを音声信号に変換するようにしてもよい。
【００２８】
ＦＭトランスミッタ回路１８２は、制御回路１９１によってＦＭラジオ周波数帯の複数の周波数のいずれかを指定されると、音声信号生成回路１８１から出力される音声信号を、指定された周波数の無線信号にてトランスミッタ用アンテナ１２１を介して送信する。具体的には、ＦＭトランスミッタ回路１８２は、音声信号生成回路１８１から出力される音声信号に対して、ＦＭラジオ周波数への変調等の処理を行ってＦＭラジオ周波数の電気信号に変換してトランスミッタ用アンテナ１２１に出力することで、音声信号を送信する。その際、ＦＭトランスミッタ回路１８２は、制御回路１９１から指定される周波数に送信周波数を設定し、設定した送信周波数にて音声信号を送信する。
【００２９】
制御回路１９１は、携帯電話機１００の各部を制御して携帯電話機１００の各種機能を実行する。特に制御回路１９１は、ＦＭトランスミッタ回路１８２が音声信号を送信する無線周波数を決定する。具体的には、制御回路１９１は、ＤＴＶチューナ回路１４１が測定した、ＦＭトランスミッタ回路１８２が送信可能な周波数の電波状況に基づいて、ＦＭトランスミッタ回路１８２が音声信号を送信する無線周波数を決定する。
制御回路１９１は、例えばＣＰＵ（Central Processing Unit、中央処理装置）と記憶媒体とを含み、記憶媒体の記憶するプログラムをＣＰＵが読出して実行することで動作する。
【００３０】
図２は、携帯電話機１００を含む音声送信システムの概略構成を示す構成図である。同図において、音声通信システム１は、携帯電話機１００とワイヤレスヘッドホン６００とを具備する。
携帯電話機１００は、図１の携帯電話機１００と同一であり説明を省略する。
ワイヤレスヘッドホン６００は、ＦＭトランスミッタに対するレシーバ（Receiver）としてのＦＭチューナを備えたヘッドホンである。ここで、ワイヤレスヘッドホン６００が受信可能な周波数として、ＦＭラジオ周波数帯における複数の周波数が設定されている。そして、ワイヤレスヘッドホン６００は、これら複数の周波数のうちいずれかの周波数にて、携帯電話機１００から送信される無線信号を受信して復調する。この、ワイヤレスヘッドホン６００が受信可能な周波数は、ＦＭトランスミッタ回路１８２（図１）が送信可能な無線周波数として設定されている。
ここで、ＦＭトランスミッタ回路１８２が送信可能な無線周波数として、ワイヤレスヘッドホン６００が受信可能な複数の周波数を設定する方法としては、様々な方法を用いることができる。例えば、ユーザが携帯電話機１００において当該周波数を設定するようにしてもよいし、携帯電話機１００およびワイヤレスヘッドホン６００の出荷時に当該周波数が予め設定されていてもよい。
【００３１】
携帯電話機１００が、音声信号を無線信号にて送信すると、ワイヤレスヘッドホン６００は、当該無線信号を受信し、復調等の処理を行って音声信号を取得する。そして、ワイヤレスヘッドホン６００は、取得した音声信号に従って音声を出力する。
このように、音声通信システム１では、音声信号を無線通信するので、携帯電話機１００とワイヤレスヘッドホン６００との間に音声信号伝送用のワイヤーを必要としない。この点において、音声通信システム１はユーザにとって使い勝手がよい。
【００３２】
次に、図３を参照して、携帯電話機１００の動作について説明する。
図３は、携帯電話機１００がＦＭトランスミッタによる送信周波数を設定する処理手順を示すフローチャートである。携帯電話機１００は、例えば音声信号の送信を指示するユーザ操作を受け付けると、同図の処理を開始する。
【００３３】
同図の処理において、まず、制御回路１９１は、ＦＭトランスミッタ回路１８２が送信可能な複数の周波数を示す情報を取得する（ステップＳ１０１）。具体的には、制御回路１９１の有する記憶媒体が、ＦＭトランスミッタ回路１８２が送信可能な複数の周波数を示す情報を予め記憶しておき、制御回路１９１は、当該記憶媒体から当該情報を読み出すことで、当該情報を取得する。
【００３４】
また、制御回路１９１は、高周波スイッチ１３１に対して、トランスミッタ用アンテナ１２１とＤＴＶチューナ回路１４１とを接続するよう指示する。そして、高周波スイッチ１３１は、当該指示に従って、トランスミッタ用アンテナ１２１とＤＴＶチューナ回路１４１とを接続する（ステップＳ１０２）。
【００３５】
ここで、トランスミッタ用アンテナ１２１とＤＴＶチューナ回路１４１とを接続するのは、ＤＴＶチューナ回路１４１が、ＦＭトランスミッタ回路１８２が送信可能な周波数の電波状況を測定する際に、より適切なアンテナを使用できるようにするためである。すなわち、一般にアンテナ毎に周波数特性が異なっており、携帯電話機１００においても、トランスミッタ用アンテナ１２１の周波数特性とＤＴＶ用アンテナ１２２の周波数特性とは異なる。そこで、ＤＴＶチューナ回路１４１が、ＦＭトランスミッタ回路１８２が無線送信を行う際に用いるトランスミッタ用アンテナ１２１を用いて、電波状況を測定することで、ＦＭトランスミッタ回路１８２が無線送信を行う状態と同様の状態における電波状況を測定することができる。すなわち、ＤＴＶ用アンテナ１２２は、トランスミッタ用アンテナ１２１を用いて電波状況を測定することで、より適切に測定を行うことができる。
【００３６】
なお、高周波スイッチ１３１が、携帯通信用アンテナ１２３または近距離通信用アンテナ１２４と、ＤＴＶチューナ回路１４１とを接続できるようにしてもよい。例えば、ＤＴＶチューナ回路１４１がＤＴＶ用アンテナ１２２を用いてＤＴＶの放送波を受信および復調してＤＴＶの音声信号を取得し、ＦＭトランスミッタ回路１８２が、トランスミッタ用アンテナ１２１を用いて当該ＤＴＶの音声信号を送信している状態において、携帯電話機１００からワイヤレスヘッドホン６００（図２）への送信信号品質が劣化してＦＭトランスミッタ回路１８２の送信周波数の再設定を行う場合に、既に使用中のトランスミッタ用アンテナ１２１とＤＴＶ用アンテナ１２２とを電波状況の測定に使用できないことが考えられる。この場合、高周波スイッチ１３１が、携帯通信用アンテナ１２３または近距離通信用アンテナ１２４と、ＤＴＶチューナ回路１４１とを接続することで、ＤＴＶチューナ回路１４１は、電波状況の測定を行い得る。
【００３７】
次に、制御回路１９１は、ＦＭトランスミッタ回路１８２が送信可能な周波数の各々について処理を行うループＬ１１を開始する（ステップＳ１１１）。
そして、制御回路１９１は、ＤＴＶチューナ回路１４１に対して、ループＬ１１で処理対象となっている周波数（以下、「処理対象周波数」と称する）を指定して、当該処理対象周波数における電界強度を測定するよう指示する。そして、ＤＴＶチューナ回路１４１は、当該指示に従って、処理対象周波数における電界強度を測定し、測定結果を制御回路１９１に出力する（ステップＳ１１２）。
【００３８】
次に、制御回路１９１は、ＤＴＶチューナ回路１４１から測定結果として出力される、処理対象周波数における電界強度を示す情報を、制御回路１９１自らの有する記憶媒体に書き込む（ステップＳ１１３）。
その後、制御回路１９１は、ＦＭトランスミッタ回路１８２が送信可能な全ての周波数について、ループＬ１１の処理を完了したか否かを判定する（ステップＳ１１４）。未処理の周波数があると判定した場合は、ステップＳ１１１に戻り、未処理の周波数に対して引き続きループＬ１１の処理を行う。
【００３９】
一方、全ての周波数について処理を完了したと判定した場合、制御回路１９１は、ＦＭトランスミッタ回路１８２が送信可能な全ての周波数について、ステップＳ１１３で記憶媒体に書き込んだ、電界強度の測定結果情報を読み出す（ステップＳ１２１）。
そして、制御回路１９１は、ステップＳ１２１で読み出した情報に基づいて、ＦＭトランスミッタ回路１８２が送信可能な周波数のうち、電界強度の最も小さい周波数（すなわち、電波状況の最もよい周波数）を選択する（ステップＳ１２２）。
【００４０】
次に、制御回路１９１は、ステップＳ１２２で選択した周波数をＦＭトランスミッタ回路１８２に出力して、当該周波数を送信周波数に設定するよう指示する。そして、ＦＭトランスミッタ回路１８２は、当該指示に従って、送信周波数を設定する（ステップＳ１２３）。
また、制御回路１９１は、ワイヤレスヘッドホン６００（図２）の受信周波数を、ステップＳ１２２で選択した周波数に設定させる（ステップＳ１２４）。例えば、制御回路１９１が、ステップＳ１２２で選択した周波数を表示装置１０１に表示させ、当該表示に基づいて、ユーザが、ワイヤレスヘッドホン６００の受信周波数を、表示装置１０１の表示する周波数に設定する。あるいは、携帯電話機１００（ＦＭトランスミッタ回路１８２）が、制御回路１９１の選択した周波数を示す情報を、ワイヤレスヘッドホン６００が受信可能な全ての周波数でワイヤレスヘッドホン６００に対して送信し、当該情報を受信したワイヤレスヘッドホン６００が、当該情報の示す周波数に受信周波数を設定するようにしてもよい。
【００４１】
また、制御回路１９１は、高周波スイッチ１３１に対して、トランスミッタ用アンテナ１２１とＦＭトランスミッタ回路１８２とを接続するよう指示する。そして、高周波スイッチ１３１は、当該指示に従って、トランスミッタ用アンテナ１２１とＦＭトランスミッタ回路１８２とを接続する（ステップＳ１２５）。
次に、制御回路１９１は、音声信号生成回路１８１に対して、音声信号を出力するよう指示する。そして、音声信号生成回路１８１は、当該指示に従って、音声データ記憶装置１７１から音声データを読み出し、読み出した音声データに基づいて音声信号を生成してＦＭトランスミッタ回路１８２に出力する。そして、ＦＭトランスミッタ回路１８２は、音声信号生成回路１８１から出力される音声信号を、ステップＳ１２３で設定した送信周波数の無線信号にて送信する。これにより、携帯電話機１００は、ＦＭトランスミッタによる音声信号の送信を開始する（ステップＳ１２６）。
その後、図３の処理を終了し、携帯電話機１００は、ＦＭトランスミッタによる音声信号の送信を行う。
【００４２】
次に、図４を参照して、携帯電話機１００による送信周波数設定の具体例について説明する。
図４は、ＤＴＶチューナ回路１４１が測定する電界強度の例を示す説明図である。同図の例では、ＦＭトランスミッタ回路１８２は、Ｘメガヘルツ、ＹメガヘルツおよびＺメガヘルツの３つの周波数で音声信号を送信可能である。但し、ＦＭトランスミッタ回路１８２が音声信号を送信可能な周波数は、同図に示す３つに限らず、２つ以上であればよい。
【００４３】
この３つの周波数の各々について、ＤＴＶチューナ回路１４１は、図３のステップＳ１１２において電界強度を測定する。そして、ＤＴＶチューナ回路１４１は、Ｘメガヘルツにおける電界強度「−７０デシベルミリ（ｄＢｍ）」、Ｙメガヘルツにおける電界強度「−５０デシベルミリ」、Ｚメガヘルツにおける電界強度「−６５デシベルミリ」との測定結果を得ている。
【００４４】
この測定結果に基づいて、制御回路１９１は、図３のステップＳ１１２において、ＦＭトランスミッタ回路１８２の送信周波数に設定する最適周波数を選択する。図４の例の場合、制御回路１９１は、電界強度が最も小さいＸメガヘルツを選択する。
なお、制御回路１９１がＦＭトランスミッタ回路１８２の送信周波数を選択する方法は、電界強度が最も小さい周波数を選択する方法に限らない。例えば、制御回路１９１が、電界強度の閾値を予め記憶しておき、当該閾値以下の電界強度となる周波数を選択するようにしてもよい。
【００４５】
この場合、制御回路１９１が、閾値以下の電界強度となる周波数を検出した時点で周波数選択処理を終了することができる。そして、制御回路１９１が当該周波数を検出した時点で、ＤＴＶチューナ回路１４１も、電界強度の測定を終了することができ、必ずしもＦＭトランスミッタ回路１８２が送信可能な全ての周波数について電界強度を測定する必要は無い。従って、処理に要する時間が短くて済み、また、処理に要する電力も低減し得る。
一方、制御回路１９１が、電界強度最小の周波数を選択する場合、ＦＭトランスミッタ回路１８２は、電界強度が最も小さい（すなわち、電波状況の最もよい）周波数を用いて音声信号を送信することができる。
【００４６】
以上のように、ＤＴＶチューナ回路１４１が、ＦＭトランスミッタ回路１８２の送信可能な周波数における電波状況を測定し、制御回路１９１は、ＤＴＶチューナ回路１４１の測定結果に基づいて、ＦＭトランスミッタ回路１８２の送信周波数を決定する。これにより、携帯電話機１００は、ＦＭトランスミッタ回路１８２の送信周波数を決定するために未使用周波数を探査するための回路を別途具備する必要が無い。従って、携帯電話機１００の小型化および軽量化を図りつつ、当該携帯電話機１００が、音声信号送信用の未使用周波数を自動探査可能とできる。
【００４７】
また、高周波スイッチ１３１が、ＤＴＶチューナ回路１４１に接続するアンテナを切り替えることで、ＤＴＶチューナ回路１４１は、ＦＭトランスミッタ回路１８２が送信可能な周波数における電波状況を測定する際に、トランスミッタ用アンテナ１２１を用いることができる。すなわち、ＤＴＶチューナ回路１４１は、より適切なアンテナを用いて、電波状況の測定を行うことができる。
【００４８】
なお、携帯電話機が周波数逓倍回路を具備することで、ＤＴＶチューナ回路に対する改造（ＦＭラジオ周波数帯への対応）を不要とし得る。この点について、図５を参照して説明する。
図５は、本実施形態における携帯電話機１００の変形例である携帯電話機２００の概略構成を示す構成図である。同図において携帯電話機２００は、表示装置１０１と、入力装置１０２と、スピーカ１１１と、マイク１１２と、トランスミッタ用アンテナ１２１と、ＤＴＶ用アンテナ１２２と、携帯通信用アンテナ１２３と、近距離通信用アンテナ１２４と、高周波スイッチ１３１と、携帯通信回路１５１と、近距離通信回路１６１と、音声データ記憶装置１７１と、音声信号生成回路１８１と、ＦＭトランスミッタ回路１８２と、周波数逓倍回路２０１と、ＤＴＶチューナ回路２０２と、制御回路（周波数決定回路）２１１とを具備する。
同図において、図１の各部に対応して同様の機能を有する部分には、同一の符号（１０１、１０２、１１１、１１２、１２１、１２２、１２３、１２４、１３１、１５１、１６１、１７１、１８１、１８２）を付し、説明を省略する。
【００４９】
制御回路２１１は、制御回路１９１（図１）が行う処理に加えて、周波数逓倍回路２０１に対する逓倍数（周波数倍率）の指示を行う。具体的には、制御回路２１１は、携帯電話機２００がＤＴＶ表示機能を実行するときは、１逓倍を指示する（すなわち、周波数を変換せずにそのまま出力するよう指示する）。一方、制御回路２１１は、ＦＭトランスミッタ回路１８２の送信周波数を選択するときは、８逓倍を指示する（すなわち、周波数を８倍に変換するよう指示する）。
【００５０】
周波数逓倍回路２０１は、高周波スイッチ１３１から出力される信号を、制御回路２１１から指示される逓倍数で逓倍して、ＤＴＶチューナ回路２０２に出力する。特に、周波数逓倍回路２０１は、制御回路２１１からの８逓倍の指示に従って、ＦＭラジオ周波数の信号を８倍の周波数に変換する。ここで、ＦＭラジオ周波数帯は７６メガヘルツ〜９０メガヘルツであり、これを８逓倍すると、６０８メガヘルツ〜７２０メガヘルツとなる、これは、ＤＴＶ周波数帯の４７０メガヘルツ〜７７０メガヘルツに含まれる。すなわち、周波数逓倍回路２０１は、ＦＭトランスミッタ回路１８２が送信可能な周波数の無線信号を地上波デジタルテレビジョン放送周波数帯の無線信号に変換してＤＴＶチューナ回路２０２に出力する。
【００５１】
ＤＴＶチューナ回路２０２は、ＤＴＶチューナ回路１４１（図１）と同様、ＤＴＶの放送波を受信および復調してＤＴＶ画像の画像信号を出力し、また、ＤＴＶのオートチューニングを行い、さらに、ＦＭトランスミッタ回路１８２が送信可能な無線周波数の電波状況（例えば電界強度）を測定する。
ただし、ＤＴＶチューナ回路２０２は、ＦＭラジオ周波数帯の信号を、周波数逓倍回路２０１が８逓倍した後に取得する。このため、ＤＴＶチューナ回路１４１の場合と異なり、ＤＴＶチューナ回路２０２が具備する同調回路は、ＦＭラジオ周波数帯（７６メガヘルツ〜９０メガヘルツ）に同調可能である必要が無い。また、ＤＴＶチューナ回路２０２は、自らのＲＦ入力部に、ＤＴＶ周波数帯のバンドパスフィルタ（Band-Pass Filter；ＢＦＰ）を有してよく、ＤＴＶチューナ回路１４１のように、ローパスフィルタに置き換える、あるいはバンドパスフィルタを削除する必要が無い。このように、ＤＴＶチューナ回路２０２では、ＦＭラジオ周波数帯への対応のための改造を不要とし得る。
【００５２】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００５３】
１  音声通信システム
１００、２００  携帯電話機
１０１  表示装置
１０２  入力装置
１１１  スピーカ
１１２  マイク
１２１  トランスミッタ用アンテナ
１２２  ＤＴＶ用アンテナ
１２３  携帯通信用アンテナ
１２４  近距離通信用アンテナ
１３１  高周波スイッチ
１４１、２０２  ＤＴＶチューナ回路
１５１  携帯通信回路
１６１  近距離通信回路
１７１  音声データ記憶装置
１８１  音声信号生成回路
１８２  ＦＭトランスミッタ回路
１９１、２１１  制御回路
２０１  周波数逓倍回路
６００  ワイヤレスヘッドホン
【図１】
2013021627.tif 000003
【図２】
2013021627.tif 000004
【図３】
2013021627.tif 000005
【図４】
2013021627.tif 000006
【図５】
2013021627.tif 000007